(57)【要約】【課題】  無駄なデータの記録を抑制しつつ頭切れ現象を防止する。【解決手段】  ハードディスクレコーダ１０は、外部Ｉ／Ｆ３８と、メモリ２８と、制御部３６と、変換部２６と、ＨＤ装置２２とを含む。外部Ｉ／Ｆ３８は、信号を受付ける。メモリ２８は、外部Ｉ／Ｆ３８が受付けた信号を記録する。制御部３６は、メモリ２８が記録した信号が表わす値である信号値に基づき、メモリ２８が記録した信号のうち、映像および音声のいずれかの出力に必要な信号である番組信号を検出する。変換部２６は、制御部３６が番組信号を検出した時以降にメモリ２８が記録した信号と制御部３６が番組信号を検出した時以降に外部Ｉ／Ｆ３８が受付けた信号とをデジタル信号に変換する。ＨＤ装置２２は、変換部２６が変換したデジタル信号をハードディスク４２に記録する。【選択図】        図１
2006302410.tif 000002
【特許請求の範囲】
【請求項１】
コンテンツを表わすアナログ信号を受付けるための受付手段と、
前記受付手段が受付けた信号を記録するための第１の記録手段と、
前記第１の記録手段が記録した信号が表わす値である信号値が映像および音声のいずれかを表わす信号とは正負の符号が異なる範囲の値か否かに基づき、前記第１の記録手段が記録した信号のうち、映像および音声のいずれかの出力に必要な信号である番組信号を検出するための検出手段と、
前記検出手段が前記番組信号を検出した時以降に前記第１の記録手段が記録した信号と前記検出手段が番組信号を検出した時以降に前記受付手段が受付けた信号とをデジタル信号に変換するための変換手段と、
前記変換手段が変換したデジタル信号を記録媒体に記録するための第２の記録手段とを含む番組録画装置。
【請求項２】
コンテンツを表わすアナログ信号を受付けるための受付手段と、
前記受付手段が受付けた信号を記録するための第１の記録手段と、
前記第１の記録手段が記録した信号が表わす値である信号値に基づき、前記第１の記録手段が記録した信号のうち、映像および音声のいずれかの出力に必要な信号である番組信号を検出するための検出手段と、
前記検出手段が前記番組信号を検出した時以降に前記第１の記録手段が記録した信号と前記検出手段が番組信号を検出した時以降に前記受付手段が受付けた信号とをデジタル信号に変換するための変換手段と、
前記変換手段が変換したデジタル信号を記録媒体に記録するための第２の記録手段とを含む番組録画装置。
【請求項３】
前記検出手段は、前記信号値が所定の範囲の値か否かに基づき、前記番組信号を検出するための手段を含む、請求項２に記載の番組録画装置。
【請求項４】
前記番組信号を検出するための手段は、前記信号値が映像および音声のいずれかを表わす信号とは正負の符号が異なる範囲の値か否かに基づき、前記番組信号を検出するための手段を含む、請求項３に記載の番組録画装置。
【請求項５】
前記検出手段は、前記第１の記録手段が記録した複数の信号がそれぞれ表わす複数の値に基づき、前記番組信号を検出するための手段を含む、請求項２に記載の番組録画装置。
【請求項６】
前記番組信号を検出するための手段は、前記複数の値の組合わせに基づき、前記番組信号を識別するための手段を含む、請求項５に記載の番組録画装置。
【請求項７】
コンテンツを表わすアナログ信号を受付ける受付ステップと、
前記受付ステップにおいて受付けた信号を記録する第１の記録ステップと、
前記第１の記録ステップにおいて記録した信号が表わす値である信号値に基づき、前記第１の記録ステップにおいて記録した信号のうち、映像および音声のいずれかの出力に必要な信号である番組信号を検出する検出ステップと、
前記検出ステップにおいて前記番組信号を検出した時以降に前記第１の記録ステップにおいて記録した信号と前記検出ステップにおいて番組信号を検出した時以降に前記受付ステップにおいて受付けた信号とをデジタル信号に変換する変換ステップと、
前記変換ステップにおいて変換したデジタル信号を記録媒体に記録する第２の記録ステップとを含む各ステップをコンピュータに実行させるための番組録画プログラム。
【請求項８】
番組録画プログラムを記録したコンピュータ読取り可能な記録媒体であって、
コンテンツを表わすアナログ信号を受付ける受付ステップと、
前記受付ステップにおいて受付けた信号を記録する第１の記録ステップと、
前記第１の記録ステップにおいて記録した信号が表わす値である信号値に基づき、前記第１の記録ステップにおいて記録した信号のうち、映像および音声のいずれかの出力に必要な信号である番組信号を検出する検出ステップと、
前記検出ステップにおいて前記番組信号を検出した時以降に前記第１の記録ステップにおいて記録した信号と前記検出ステップにおいて番組信号を検出した時以降に前記受付ステップにおいて受付けた信号とをデジタル信号に変換する変換ステップと、
前記変換ステップにおいて変換したデジタル信号を記録媒体に記録する第２の記録ステップとを含む各ステップをコンピュータに実行させるための番組録画プログラムを記録したコンピュータ読取り可能な記録媒体。
【発明の詳細な説明】
【技術分野】
【０００１】
本発明は、番組録画装置、番組録画プログラム、および番組録画プログラムを記録したコンピュータ読取り可能な記録媒体に関し、特に、デジタル記録により番組を録画できる番組録画装置、番組録画プログラム、および番組録画プログラムを記録したコンピュータ読取り可能な記録媒体に関する。
【背景技術】
【０００２】
特許文献１は、ソース源から出力されるソース情報を記録媒体に記録する記録部と、記録部に対して記録媒体への記録の指示を行う操作部と、ソース情報を蓄積するメモリ部と、操作部における記録の指示が行われる以前においてソース情報の蓄積動作が開始されるようにメモリ部を制御するとともに、操作部における記録の指示に基づいて記録媒体に対してソース情報とメモリ部に蓄積された蓄積ソース情報との記録動作が行われるように記録部を制御する制御部とを備える情報記録装置を開示する。
【０００３】
特許文献１に開示された発明によると、ソース源から出力されるソース情報を頭切れ現象を生じることなく記録媒体に確実に記録することができる。
【０００４】
特許文献２は、トランスポートストリームをデマルチプレクス処理してトランスポートストリームパケットを出力するトランスポートストリームデコード部と、トランスポートストリームデコード部の出力を記録するメモリと、記録開始要求が発生した場合には、メモリに記録されているトランスポートストリームパケットのうちＧＯＰ（Group of Pictures）の先頭を含むパケットの直前に記録されたＰＣＲ（Program Clock Reference）を含むパケットから所定の記録媒体に記録を開始する制御部とを含む記録装置を開示する。
【０００５】
特許文献２に開示された発明によると、再生時に破棄される無駄なデータの記録を抑制し、再生時に映像および音声が出力されるまでの時間を短縮することができる。
【０００６】
特許文献３は、予約時間を含む予約設定内容に基づいて、画像情報、音声情報およびデータ放送用コンテンツの少なくとも何れかの情報を外部記録機器に記録させる情報記録制御装置において、予約記録制御時に、外部記録機器による予約記録が行われない場合に、これを検出して予約記録開始を外部記録機器に繰返して要求するように制御する制御装置を有する情報記録制御装置を開示する。
【０００７】
特許文献３に開示された発明によると、先行する予約設定の記録終了時間と、後続の予約設定の記録開始時間とが一部重なる場合にも、後続の予約記録を確実に実行させることができることができる。
【特許文献１】特開２００２−１５０６８０号公報
【特許文献２】特開２００１−３１３９０４号公報
【特許文献３】特開２００３−３３１５２２号公報
【発明の開示】
【発明が解決しようとする課題】
【０００８】
しかし、特許文献１に開示された発明では、記録されたソース情報に無駄なデータが多く含まれる恐れがあるという問題点がある。特許文献２に開示された発明では、ＰＣＲを含むパケットを検出できなければ、無駄なデータの記録を抑制することも頭切れ現象を抑制することもできなくなるという問題点がある。特許文献３に開示された発明では、ソース情報に無駄なデータが多く含まれる恐れも、頭切れ現象が生じる恐れもあるという問題点がある。
【０００９】
本発明は上述の問題点を解決するためになされたものであって、その目的は、ＰＣＲを含むパケットを検出できなくても無駄なデータの記録を抑制しつつ頭切れ現象を防止できる番組録画装置、番組録画プログラム、および番組録画プログラムを記録したコンピュータ読取り可能な記録媒体を提供することにある。
【課題を解決するための手段】
【００１０】
上記目的を達成するために、本発明のある局面にしたがうと、番組録画装置は、受付手段と、第１の記録手段と、検出手段と、変換手段と、第２の記録手段とを含む。受付手段は、コンテンツを表わすアナログ信号を受付ける。第１の記録手段は、受付手段が受付けた信号を記録する。検出手段は、第１の記録手段が記録した信号が表わす値である信号値が映像および音声のいずれかを表わす信号とは正負の符号が異なる範囲の値か否かに基づき、第１の記録手段が記録した信号のうち、映像および音声のいずれかの出力に必要な信号である番組信号を検出する。変換手段は、検出手段が番組信号を検出した時以降に第１の記録手段が記録した信号と検出手段が番組信号を検出した時以降に受付手段が受付けた信号とをデジタル信号に変換する。第２の記録手段は、変換手段が変換したデジタル信号を記録媒体に記録する。
【００１１】
本発明の他の局面にしたがうと、番組録画装置は、受付手段と、第１の記録手段と、検出手段と、変換手段と、第２の記録手段とを含む。受付手段は、コンテンツを表わすアナログ信号を受付ける。第１の記録手段は、受付手段が受付けた信号を記録する。検出手段は、第１の記録手段が記録した信号が表わす値である信号値に基づき、第１の記録手段が記録した信号のうち、映像および音声のいずれかの出力に必要な信号である番組信号を検出する。変換手段は、検出手段が番組信号を検出した時以降に第１の記録手段が記録した信号と検出手段が番組信号を検出した時以降に受付手段が受付けた信号とをデジタル信号に変換する。第２の記録手段は、変換手段が変換したデジタル信号を記録媒体に記録する。
【００１２】
また、上述の検出手段は、信号値が所定の範囲の値か否かに基づき、番組信号を検出するための手段を含むことが望ましい。
【００１３】
また、上述の番組信号を検出するための手段は、信号値が映像および音声のいずれかを表わす信号とは正負の符号が異なる範囲の値か否かに基づき、番組信号を検出するための手段を含むことが望ましい。
【００１４】
また、上述の検出手段は、第１の記録手段が記録した複数の信号がそれぞれ表わす複数の値に基づき、番組信号を検出するための手段を含むことが望ましい。
【００１５】
また、上述の番組信号を検出するための手段は、複数の値の組合わせに基づき、番組信号を識別するための手段を含むことが望ましい。
【００１６】
本発明の他の局面にしたがうと、番組録画プログラムは、受付ステップと、第１の記録ステップと、検出ステップと、変換ステップと、第２の記録ステップとを含む各ステップをコンピュータに実行させる。受付ステップは、コンテンツを表わすアナログ信号を受付ける。第１の記録ステップは、受付ステップにおいて受付けた信号を記録する。検出ステップは、第１の記録ステップにおいて記録した信号が表わす値である信号値に基づき、第１の記録ステップにおいて記録した信号のうち、映像および音声のいずれかの出力に必要な信号である番組信号を検出する。変換ステップは、検出ステップにおいて番組信号を検出した時以降に第１の記録ステップにおいて記録した信号と検出ステップにおいて番組信号を検出した時以降に受付ステップにおいて受付けた信号とをデジタル信号に変換する。第２の記録ステップは、変換ステップにおいて変換したデジタル信号を記録媒体に記録する。
【００１７】
本発明の他の局面にしたがうと、記録媒体は、番組録画プログラムを記録したコンピュータ読取り可能な記録媒体である。記録媒体は、受付ステップと、第１の記録ステップと、検出ステップと、変換ステップと、第２の記録ステップとを含む各ステップをコンピュータに実行させるための番組録画プログラムを記録した、コンピュータ読取り可能な記録媒体である。受付ステップは、コンテンツを表わすアナログ信号を受付ける。第１の記録ステップは、受付ステップにおいて受付けた信号を記録する。検出ステップは、第１の記録ステップにおいて記録した信号が表わす値である信号値に基づき、第１の記録ステップにおいて記録した信号のうち、映像および音声のいずれかの出力に必要な信号である番組信号を検出する。変換ステップは、検出ステップにおいて番組信号を検出した時以降に第１の記録ステップにおいて記録した信号と検出ステップにおいて番組信号を検出した時以降に受付ステップにおいて受付けた信号とをデジタル信号に変換する。第２の記録ステップは、変換ステップにおいて変換したデジタル信号を記録媒体に記録する。
【発明の効果】
【００１８】
本発明に係る番組録画装置、番組録画プログラム、および番組録画プログラムを記録したコンピュータ読取り可能な記録媒体は、ＰＣＲを含むパケットを検出できなくても無駄なデータの記録を抑制しつつ頭切れ現象を防止できる。
【発明を実施するための最良の形態】
【００１９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２０】
図１のハードディスクレコーダ１０は、２種類のデジタル記録メディア再生装置を内蔵し、記録メディアから再生されたコンテンツや外部装置７０から出力されたコンテンツなどの各種コンテンツを、装置外部に予め接続されたモニタ装置１４に映像信号または音声信号として視聴可能なように出力する装置である。リモコン（リモートコントローラの略）１２は、ユーザが各種の指令を入力するために操作される装置であり、その指令に対応する赤外線信号を発信する。
【００２１】
ハードディスクレコーダ１０は、ＤＶＤ（Digital Versatile Disc）読取部２０と、ＨＤ（Hard Disk）装置２２と、放送局から送信されるデジタル放送信号を受信する外部のアンテナ６０を接続するチューナ２４と、ＯＳＤ（On Screen Display)５０を内蔵する変換部２６と、データ（この「データ」には、信号として表わされたデータが含まれる）を蓄積する装置であるメモリ２８と、映像出力部３０と、音声出力部３２と、リモコン受信部３４と、制御部３６と、外部装置７０から信号を受付ける装置である外部Ｉ／Ｆ（Inter Face）３８とを備える。
【００２２】
ＤＶＤ読取部２０は光ディスク（本実施の形態の場合ＤＶＤ３００）に記録された情報を読出す装置である。本実施の形態の場合、ＤＶＤ３００には、デジタルコンテンツの情報や、ハードディスクレコーダ１０が本実施の形態にかかる番組録画装置として動作するために必要なプログラムが記録されている。
【００２３】
ＨＤ装置２２は、ユーザ所望のデジタルコンテンツの信号をハードディスク４２に記録し、その記録したデジタルコンテンツの信号を読出す装置である。ここで、ハードディスク４２に記録される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００２４】
ＨＤ装置２２は、記録媒体（本実施の形態の場合ハードディスク４２）が記録した番組を構成する情報のいずれかを読出す装置である読出しヘッド４４と、放送信号とチャプタを表わす情報とを記録媒体に記録する装置である記録ヘッド４６とを含む。
【００２５】
チューナ２４は、アンテナ６０を介して、放送局から発信される放送信号（デジタル方式のストリーム信号）のうち、制御部３６により指定されるチャンネルの放送信号を受付けて出力する装置である。
【００２６】
変換部２６は、外部Ｉ／Ｆ３８を介して外部装置７０から入力されたデジタルコンテンツの信号が制御部３６により与えられると、与えられたそのデジタル信号を受付け、圧縮（エンコード）し、出力する装置である。変換部２６は、ＤＶＤ読取部２０により再生されたデジタルコンテンツの信号、ＨＤ装置２２が内蔵するハードディスク４２から読出されたデジタルコンテンツの信号、およびチューナ２４が抽出したデジタルコンテンツの信号のいずれかが制御部３６の切換制御により与えられると、与えられたそのデジタル信号を受付け、復号（デコード）し、出力する装置でもある。変換部２６が内蔵するＯＳＤ５０は、制御部３６により与えられた情報に基づいて画像データを生成し、それをモニタ装置１４の画面に可視表示するために映像出力部３０に対して出力する回路である。
【００２７】
メモリ２８には、チューナ２４が受信可能な放送チャンネルが予めチャンネルスキャン（オートスキャン）して取得されて格納され、また、制御部３６の動作プログラムが格納される。メモリ２８には、後述する情報の処理のためのフラグやデータも格納されている。
【００２８】
映像出力部３０は、読出しヘッド４４がハードディスク４２から読出し、かつ変換部２６が復号した映像データを出力する装置である。映像出力部３０は、映像データをモニタ装置１４が出力可能な映像信号に変換した後、映像信号をモニタ装置１４に対して出力する。
【００２９】
音声出力部３２は、読出しヘッド４４がハードディスク４２から読出し、かつ変換部２６が復号した音声データを出力する装置である。音声出力部３２は、音声データをモニタ装置１４が出力可能な音声信号に変換した後、音声信号をモニタ装置１４に対して出力する。
【００３０】
リモコン受信部３４は、赤外線を介してリモコン１２から発信される各種の指令信号を受信する装置である。リモコン受信部３４は、受信した指令信号を制御部３６に伝送する装置でもある。
【００３１】
制御部３６は、メモリ２８に格納された動作プログラムに基づいて装置各部の制御を行なう装置である。制御部３６は、図示しない時計を内蔵する。これにより、制御部３６は、予め定められた時刻に予め定められた処理を実施することができる。
【００３２】
図２を参照して、ハードディスクレコーダ１０で実行されるプログラムは、録画に関し、以下のような制御を実行する。
【００３３】
ステップ１００（以下、ステップをＳと略す。）にて、外部Ｉ／Ｆ３８は、制御部３６の制御により、外部装置７０からコンテンツを表わすストリーム信号（本実施の形態の場合、このステップにおいて受付けられるストリーム信号はアナログ信号であることとする）を受付ける。外部Ｉ／Ｆ３８が受付けるストリーム信号には、映像を表わす映像信号が含まれる。外部Ｉ／Ｆ３８は、受付けたストリーム信号を制御部３６に出力する。
【００３４】
Ｓ１０２にて、制御部３６は、外部Ｉ／Ｆ３８が出力した（すなわち外部Ｉ／Ｆ３８が受付けた）ストリーム信号をメモリ２８のバッファ領域に一時的に記録させる。バッファ領域すべてにストリーム信号が記録されると、制御部３６は、バッファ領域に記録されたストリーム信号を、記録された時期が古い信号から順に削除するように、メモリ２８を制御する。
【００３５】
Ｓ１０４にて、制御部３６は、信号値（メモリ２８のバッファ領域が記録した信号が表わす値）が映像および音声のいずれかを表わす信号とは正負の符号が異なる値か否かに基づき、メモリ２８のバッファ領域が記録した信号が複合同期信号（水平同期信号と垂直同期信号とを複合させた信号のこと）か否かを判断する。これにより、制御部３６は、メモリ２８のバッファ領域が記録した信号が表わす値である信号値が所定の範囲（本実施の形態の場合、映像および音声のいずれかを表わす信号とは正負の符号が異なる範囲）の値か否かに基づき、メモリ２８のバッファ領域が記録した信号のうち、映像および音声のいずれかの出力に必要な信号（本実施の形態の場合は複合同期信号）を検出することとなる。メモリ２８のバッファ領域が記録した信号が複合同期信号であると判断した場合（Ｓ１０４にてＹＥＳ）、処理はＳ１０６へと移される。もしそうでないと（Ｓ１０４にてＮＯ）、処理はＳ１００へと移される。
【００３６】
Ｓ１０６にて、制御部３６は、メモリ２８のバッファ領域に記録された信号のうち所定の信号を変換部２６に出力する。本実施の形態の場合、変換部２６に出力される信号は、Ｓ１０４にて検知された複合同期信号が記録される前に記録された信号のうち、最後に記録された信号を含む複数の信号である（何個の信号が出力されるかは、ハードディスクレコーダ１０の設計者が任意に定める事柄である）。変換部２６は、制御部３６が出力した信号を圧縮し、かつデジタル信号に変換する。制御部３６は、外部Ｉ／Ｆ３８が受付けた信号を変換部２６に出力する。変換部２６は、制御部３６が出力した信号を圧縮し、かつデジタル信号に変換する。これにより、変換部２６は、制御部３６が複合同期信号を検出した時以降にメモリ２８のバッファ領域が記録した信号と制御部３６が複合同期信号を検出した時以降に外部Ｉ／Ｆ３８が受付けた信号とをデジタル信号に変換することとなる。ＨＤ装置２２は、変換部２６が変換したデジタル信号を記録媒体（このステップの場合ハードディスク４２）に記録する。また、番組の録画が実施される。
【００３７】
以上のような構造およびフローチャートに基づく、ハードディスクレコーダの動作について説明する。
【００３８】
外部Ｉ／Ｆ３８は、制御部３６の制御により、外部装置７０からストリーム信号を受付ける（Ｓ１００）。ストリーム信号の受付けが開始されると、制御部３６は、外部Ｉ／Ｆ３８が出力したストリーム信号をメモリ２８のバッファ領域に一時的に記録させる（Ｓ１０２）。信号がバッファに記録されると、制御部３６は、メモリ２８のバッファ領域が記録した信号が複合同期信号か否かを判断する（Ｓ１０４）。
【００３９】
図３は、信号値を信号が受付けられた時の順に並べた図である。図３において、実線の図３における「Ａ」は、ストリーム信号の受付けが開始された時点を表わす。図３における「Ｂ」は、ストリーム信号が立上がる（本実施の形態の場合「ストリーム信号が立上がる」とは、実際にはストリーム信号が外部装置７０から出力されていない状態から実際にストリーム信号が出力されている状態へ変化することを表わす）時点を表わす。
【００４０】
制御部３６が複合同期信号か否かを判断した時点において、チューナ２４が受付けた信号の値は図３の「Ａ」から「Ｂ」の間にあることとする。すなわち、複合同期信号だけでなく、ストリーム信号も検知されていないので（Ｓ１０４にてＮＯ）、Ｓ１００〜Ｓ１０４の処理が繰返される。その後、ストリーム信号が立上がり、複合同期信号が検知されると（Ｓ１０４にてＹＥＳ）、制御部３６は、ＨＤ装置２２に録画を実施させる（Ｓ１０６）。
【００４１】
以上のようにして、本実施の形態に係るハードディスクは、ＰＣＲが含まれているか否かに関わらず、ストリーム信号が立上がると録画を開始する。その際、バッファ領域に記録された信号のうち、複合同期信号より前に記録された信号も記録される。無駄なデータの信号としての記録が抑制される。その結果、ＰＣＲを含むパケットを検出できなくても無駄なデータの記録を抑制しつつ頭切れ現象を防止できるハードディスクを提供できる。
【００４２】
なお、ハードディスクレコーダ１０は、コンピュータハードウェア（このコンピュータハードウェアは、チューナ２４およびリモコン受信部３４が搭載され、かつアンテナ６０に接続できることとする）と制御部３６により実行されるソフトウェアとにより実現されてもよい。一般的にこうしたソフトウェアは、ＤＶＤ３００などの記録媒体に格納されて流通し、ＤＶＤ読取部２０などにより記録媒体から読取られ、メモリ２８に一旦格納される。さらに上述した制御部３６により実行される。チューナおよびリモコン受信部が搭載され、かつアンテナに接続できるコンピュータハードウェア自体は一般的なものである。したがって、この場合、発明の最も本質的な部分はＤＶＤ３００などの記録媒体に記録されたソフトウェアである。なお、コンピュータ自体の動作は周知であるので、ここではその詳細な説明は繰返さない。
【００４３】
また、ハードディスクレコーダ１０は、ＨＤ装置２２に代え、ＶＣＲ（Video Cassette Recorder）その他の記録媒体（その他の記録媒体の例として、BluerayDisc（登録商標）およびＨＤ（High Definition）ＤＶＤ（登録商標）が含まれる）の読取部を搭載していてもよい（この場合、ハードディスクレコーダ１０は、ハードディスクレコーダ以外の番組録画装置となる）。ハードディスクレコーダ１０は、ＨＤ装置２２に加え、ＶＣＲ（Video Cassette Recorder）その他の記録媒体（その他の記録媒体の例として、BluerayDisc（登録商標）およびＨＤＤＶＤ（登録商標）が含まれる）の読取部を搭載していてもよい。
【００４４】
また、Ｓ１０４にて、制御部３６は、信号値が所定の範囲の値（たとえば所定のしきい値を上回る範囲の値）か否かに基づき、メモリ２８のバッファ領域が記録した信号が映像および音声のいずれかの出力に必要な信号か否かを判断してもよい。このような判断を実施することにより、制御部３６は、メモリ２８のバッファ領域が記録した信号が表わす値である信号値が所定の範囲の値か否かに基づき、番組信号を検出することとなる。
【００４５】
また、Ｓ１０４にて、制御部３６は、水平同期信号および垂直同期信号のいずれかであるかか否かを判断してもよい。
【００４６】
また、Ｓ１０４にて、制御部３６は、複数の信号値の組合わせに基づき、メモリ２８のバッファ領域が記録した信号が映像および音声のいずれかの出力に必要な信号か否かを判断してもよい。このような判断を実施することにより、制御部３６は、メモリ２８のバッファ領域が記録した複数の信号がそれぞれ表わす複数の値に基づき（特に複数の値の組合わせに基づき）、番組信号を検出することとなる。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４８】
【図１】本発明の実施の形態に係るハードディスクレコーダの制御ブロック図である。
【図２】本発明の実施の形態に係る録画処理の制御の手順を示すフローチャートである。
【図３】本発明の実施の形態に係るチューナが選局した信号の値の推移を表わす図である。
【符号の説明】
【００４９】
１０  ハードディスクレコーダ、１２  リモコン、１４  モニタ装置、２０  ＤＶＤ読取部、２２  ＨＤ装置、２４  チューナ、２６  変換部、２８  メモリ、３０  映像出力部、３２  音声出力部、３４  リモコン受信部、３６  制御部、３８  外部Ｉ／Ｆ、４２  ハードディスク、４４  読出しヘッド、４６  記録ヘッド、５０  ＯＳＤ、６０  アンテナ、７０  外部装置、３００  ＤＶＤ。
【図１】
2006302410.tif 000003
【図２】
2006302410.tif 000004
【図３】
2006302410.tif 000005